(57)【要約】【課題】  エレベータかご室内において保護幕を使用しないとき、固定式のカーテンフックは見栄えが悪いため、エレベータかご室内の美観が低下する。【解決手段】  エレベータのかご室内において、隣接する側壁板１の隙間の上方部に、側壁板１の表面より突出しないようにピン状の引掛部４を取り付け、引掛部４に着脱可能なカーテンフック５を引掛ける。カーテンフック５は側壁板１の縁部１ａ間の隙間より狭い幅で形成され、引掛部４に着脱可能に引掛けられる鉤型部５ａ及び側壁板１の縁部１ａ間の隙間より広い幅で形成されたカーテン取付部５ｂを設けるようにする。  そして保護幕（図示せず）を使用するときはカーテンフック５を引掛部４に引掛けるようにして、保護幕を使用しない時はカーテンフック５を取り外すようにする。これにより保護幕を使用しない時はカーテンフック５が見えないので、エレベータかご室内の美観低下を防ぐことができる。【選択図】      図２
2005324895.tif 000002
【特許請求の範囲】
【請求項１】
鉛直方向の縁部を互いに対向させて隣接して配置された複数の側壁板と、
前記隣接する側壁板の縁部相互間に設けられた目地と、
前記目地の前側でかつ隣接する側壁板の縁部間の隙間の上方部に該側壁板の表面より突出しないように設けられた引掛部と、
前記側壁板の縁部間の隙間より狭い幅で形成され前記引掛部に着脱可能に引掛けられる鉤型部及び前記側壁板の縁部間の隙間より広い幅で形成されたカーテン取付部を有するカーテンフックと、
を備えたことを特徴とするエレベータかご室のカーテンフック装置。
【請求項２】
カーテンフックは、側壁板の縁部間の隙間よりも幅の広い当て板をカーテン取付部の背面側に設けたことを特徴とする請求項１記載のエレベータかご室のカーテンフック装置。
【請求項３】
カーテンフックのカーテン取付部は、直接カーテンが取り付けられる下部鉤型部であることを特徴とする請求項１記載のエレベータかご室のカーテンフック装置。
【請求項４】
カーテンフックは、側壁板の縁部間の隙間より狭い幅で形成され引掛部に着脱可能に引掛けられる鉤型部を上部に有し、下部に連結用スライド部を有するカーテンフック本体と、前記スライド部が摺動自在に遊嵌されるフック付きレール部とから構成されたことを特徴とする請求項１記載のエレベータかご室のカーテンフック装置。
【発明の詳細な説明】
【技術分野】
【０００１】
この発明は、エレベータかご室の壁に保護幕を張るためのカーテンフック装置に関する。
【背景技術】
【０００２】
従来のエレベータかご室において保護幕を張らない時、壁に固定されたカーテンフックは見栄えが悪かった。そこで、保護幕を張らない時はカーテンフックの壁からの突出寸法を小さくする等の対策がなされていた（例えば、特許文献１参照）。
【特許文献１】実開昭５９−２７６６号公報
【発明の開示】
【発明が解決しようとする課題】
【０００３】
上述のように突出寸法を小さくしても依然としてフックが見えるため見栄えが改善されず、エレベータかご室の美観が損なわれるという問題があった。
【０００４】
この発明は、上記課題を解決するためになされたもので、エレベータのかご室内において保護幕を張らないときは、カーテンフックを取り外すようにしたものである。
【課題を解決するための手段】
【０００５】
この発明に係るエレベータのカーテンフック装置は、鉛直方向の縁部を互いに対向させて隣接して配置された複数の側壁板と、前記隣接する側壁板の縁部相互間に設けられた目地と、前記目地の前側でかつ隣接する側壁板の縁部間の隙間の上方部に該側壁板の表面より突出しないように設けられた引掛部と、前記側壁板の縁部間の隙間より狭い幅で形成され前記引掛部に着脱可能に引掛けられる鉤型部及び前記側壁板の縁部間の隙間より広い幅で形成されたカーテン取付部を有するカーテンフックとを備えたことを特徴とする。
【発明の効果】
【０００６】
この発明は、エレベータかご室内において、複数の側壁板の間に取り付けられた引掛部に引掛けられたカーテンフックを着脱可能とすることにより、保護幕を張らないときは、カーテンフックを取り外して見えなくすることができる。
【発明を実施するための最良の形態】
【０００７】
実施の形態１．
図１〜図４は、この発明の実施の形態１によるエレベータかご室のカーテンフック装置を示す図である。図１は、エレベータかご室の内部とカーテンフック装置を示す斜視図、図２は図１のＡ部の拡大図、図３はカーテンフック装置の縦断面図、図４は図３の横断面図である。
【０００８】
図１に示すように、エレベータかご室内の側面に複数の側壁板１が床２の外周に沿って立設して配置されている。図２および図４に示すように、隣接する側壁板１の鉛直方向の縁部１ａが、側壁板１の表面から奥側に向かって略直角に屈曲され互いに対向している。対向する縁部１ａの隙間の奥側には目地３が設けられ、隣接する側壁板１とともに、締付ボルト１０、ナット１１により締結固定されている。
さらに、対向する縁部１ａ間の隙間の上方部（図１の上側）において、側壁板１の表面より奥側かつ目地３より前側に、対向する縁部１ａを両端としてピン状の引掛部４が設けられている。この引掛部４は側壁板１の表面よりも奥側にあってエレベータかご室内に突出せず、正面からは見える位置に固定されている。
【０００９】
図２および図３に示すように、カーテンフック５は、上端部を上記引掛部４に引掛けられるようにした上部鉤型部５ａと、下端部に保護幕を引掛けられるようにしたカーテン取付部５ｂとにより構成され、両端が互いに逆向きに湾曲している。上部鉤型部５ａは、隣接する側壁板１の対向する縁部１ａの隙間に挿入できるように、その隙間よりも狭い幅で形成されて、引掛部４に引掛けられている。これにより、カーテンフック５は引掛部４に着脱可能となっている。
カーテン取付部５ｂは、側壁板１の表面から奥側へ後退するのを防ぐため、その背面側に、隣接する側壁板１の隙間よりも幅の広い当て板６が取り付けられている。これによりカーテン取付部５ｂは側壁板１の表面よりも前側に突出した状態に保たれ、エレベータのかご室内において保護幕（図示せず）を吊るすことができる。なお、カーテン取付部５ｂの背面側に当て板６を取り付ける代わりに、カーテン取付部５ｂの幅を隣接する側壁板１の隙間よりも大きくしてカーテンフック５が側壁板１の表面から奥側へ後退するのを防ぎ、直接カーテンが取付けられる下部鉤型部（図示せず）を設けるようにしても良い。これにより当て板６が不要となるので、部品点数を減らすことができる。
このように引掛部４およびカーテンフック５を構成することにより、エレベータかご室内において保護幕を吊るすことができる。また保護幕を使用しないときは、カーテンフック５を取り外すことができる。このとき引掛部４は側壁板１の表面よりも奥側でエレベータかご室内から突出せず、また正面以外からは見え難い位置に固定されているので、エレベータかご室内の美観低下を防ぐことができる。
なお、図１において７は天井、８は照明器具、９は側壁板１の下端部に設けられた幅木である。
【００１０】
以上説明したように、本実施の形態によるエレベータのカーテンフック装置は、複数の側壁板１が立設して配置されたエレベータかご室内において、鉛直方向の縁部１ａを互いに対向させて隣接して配置された複数の側壁板１と、隣接する側壁板１の縁部１ａ相互間に設けられた目地３と、目地３の前側でかつ隣接する側壁板１の縁部１ａ間の隙間の上方部に側壁板１の表面より突出しないように設けられた引掛部４と、側壁板１の縁部１ａ間の隙間より狭い幅で形成され引掛部４に着脱可能に引掛けられる鉤型部５ａ及び前記側壁板１の縁部１ａ間の隙間より広い幅で形成されたカーテン取付部５ｂを有するカーテンフック５とを備えるようにした。
そして、カーテンフック５は、側壁板１の縁部１ａ間の隙間よりも幅の広い当て板６をカーテン取付部の背面側に設けるようにした。または、側壁板１の縁部１ａ間の隙間よりも幅が広く、直接カーテンが取り付けられる下部鉤型部を設けるようにした。
これにより保護幕を使用しないとき、カーテンフック５を取り外せば、引掛部４は側壁板１の表面よりも奥側でエレベータかご室内から突出せず、また正面以外からは見え難い位置に固定されているので、エレベータかご室内の美観の低下を防ぐことができる。
【００１１】
実施の形態２．
図５〜図９は、この発明の実施の形態２によるエレベータのカーテンフック装置を示す図である。図５は、エレベータかご室の内部とカーテンフック装置を示す斜視図、図６は図５のＢ部の拡大図、図７は図６の分解斜視図、図８はカーテンフック装置の縦断面図、図９は図８の横断面図である。また、実施の形態１と同一または相当する部分には同一符号を付してその説明を簡略化ないし省略する。
【００１２】
実施の形態２では、実施の形態１で示したカーテンフック５（図１〜図４参照）の代わりに、図６に示すカーテンフックＣを用いるようにする。カーテンフックＣはカーテンフック本体１２と、レール部１３およびフック１４を備えたカーテン取付部１５とにより構成されている。図６および図７に示すように、カーテンフック本体１２は、引掛部４（図２〜図４参照）に着脱可能に引掛けられる鉤型部１２ａを上部に有し、下部に連結用スライド部１６および当て板１７とを有している。一方、カーテン取付部１５は、スライド部１６が摺動自在に遊嵌されるレール部１３と、レール部１３に取り付けられたフック１４とを有している。
これにより、カーテンフック本体１２はレール部１３に遊嵌されてレールに沿ってＤの方向へ容易に移動させることができる。従って側壁板１の幅が異なるエレベータかご室においても使用することができる。
【００１３】
一方、レール部１３の正面部側には、保護幕を引掛けるための複数のフック１４が突出して設けられている。このフック１４は、任意の間隔で取り付けることができる。これにより側壁板１の幅が小さい場合でもフック１４を多く取り付けることができるので、重い保護幕を使用する場合には好適である。
【００１４】
また、図７および図８に示すように、カーテンフック本体１２のスライド部１６の裏面に、隣接する側壁板１の隙間よりも幅の広い当て板１７が取り付けられている。これによりカーテンフック本体１２が、側壁板１の表面から奥側へ後退するのを防ぐことができる。これにより、フック１４を水平な状態に保つことができるので、エレベータのかご室内において保護幕（図示せず）を吊るすことができる。
また、実施の形態１と同様に保護幕を使用しないときはカーテンフックＣを取り外すことができる。これにより引掛部４は側壁板１の表面よりも奥側でエレベータかご室内から突出せず、また正面以外からは見え難い位置に固定されているので、エレベータかご室内の美観低下を防ぐことができる。
【００１５】
以上説明したように、本実施の形態によるエレベータのカーテンフック装置は、鉛直方向の縁部１ａを互いに対向させて隣接して配置された複数の側壁板１と、隣接する側壁板１の縁部１ａ相互間に設けられた目地３と、目地３の前側でかつ隣接する側壁板１の縁部１ａ間の隙間の上方部に側壁板１の表面より突出しないように設けられた引掛部４と、側壁板１の縁部１ａ間の隙間より狭い幅で形成され引掛部４に着脱可能に引掛けられる鉤型部１２ａ及び側壁板１の縁部１ａ間  の隙間より広い幅で形成されたカーテン取付部１５とを有するカーテンフックＣとを備えるようにした。
そして、カーテンフックＣは、側壁板１の縁部１ａ間の隙間より狭い幅で形成され引掛部４に着脱可能に引掛けられる鉤型部１２ａを上部に有し、下部に連結用スライド部１６を有するカーテンフック本体１２と、スライド部１６が摺動自在に遊嵌され、フック１４が取り付けられたレール部１３とから構成されたカーテン取付部１５とにより構成されるようにした。
これにより実施の形態１の効果に加えて、側壁板１の幅が小さい場合でもフック１４を多く取り付けることができるので、重い保護幕を使用する場合には好適である。また、カーテンフック本体１２はレール部１３のレールに沿って容易に移動させることができるので、側壁板１の幅が異なるエレベータかご室においても使用することができる。
【図面の簡単な説明】
【００１６】
【図１】実施の形態１によるエレベータかご室のカーテンフック装置の斜視図。
【図２】図１のＡ部の拡大図。
【図３】実施の形態１によるエレベータかご室のカーテンフック装置の縦断面図。
【図４】実施の形態１によるエレベータかご室のカーテンフック装置の横断面図。
【図５】実施の形態２によるエレベータかご室のカーテンフック装置の斜視図。
【図６】図５のＢ部の拡大図。
【図７】図６の分解斜視図。
【図８】実施の形態２によるエレベータかご室のカーテンフック装置の縦断面図。
【図９】実施の形態２によるエレベータかご室のカーテンフック装置の横断面図。
【符号の説明】
【００１７】
１  側壁板、２  床、３  目地、４  引掛部、５  カーテンフック、６  当て板、７  天井、８  照明、９  幅木、１０  締付ボルト、１１  ナット、１２  カーテンフック本体、１３  レール部、１４  フック、１６  （連結用）スライド部、１７  当て板。
【図１】
2005324895.tif 000003
【図２】
2005324895.tif 000004
【図３】
2005324895.tif 000005
【図４】
2005324895.tif 000006
【図５】
2005324895.tif 000007
【図６】
2005324895.tif 000008
【図７】
2005324895.tif 000009
【図８】
2005324895.tif 000010
【図９】
2005324895.tif 000011